(57)【要約】【課題】  コンテンツ情報の再生時に、次に再生を行うため選択されたコンテンツ情報へのアクセス時間に起因して生じる次のコンテンツ情報の再生開始までの再生中断期間を無くす又は大幅に短縮可能な再生装置を提供する。【解決手段】  再生するコンテンツ情報を含む複数のコンテンツ情報について、光ピックアップ１２を制御して記憶媒体１０から読み出した先頭部分情報及び付随する付随情報をメモリ手段である第２バッファメモリ２１に記憶する。次のコンテンツ情報の再生については、第２バッファメモリ２１に記憶されている当該先頭部分情報と付随情報との再生から開始し、先頭部分情報の後続の部分について記録媒体１０上をアクセスしてサーチの後に読み出しするので、先に再生されたコンテンツ情報と、次に再生すべきコンテンツ情報との間での再生中断期間を大幅に短縮するか又は無くすことができる。【選択図】        図１
2007087481.tif 000002
【特許請求の範囲】
【請求項１】
複数のコンテンツ情報を記録している記録媒体から任意の前記コンテンツ情報を読み出すコンテンツ情報読み出し手段、読み出された前記コンテンツ情報を記憶するメモリ手段、及び前記コンテンツ情報読み出し手段と前記メモリ手段との動作を制御して前記コンテンツ情報の再生を制御する制御手段を備えており、
前記制御手段は、複数の前記コンテンツ情報について前記読み出し手段を制御して前記記録媒体から読み出したそれぞれの先頭部分情報及び付随情報を前記メモリ手段に記憶し、次に再生すべき前記コンテンツ情報の再生を前記メモリ手段に記憶されている当該コンテンツ情報の前記先頭部分情報と前記付随情報との再生から開始することから成る再生装置。
【請求項２】
前記複数のコンテンツ情報は、前記再生中のコンテンツ情報に対して、記録日時順、定時放送番組放送日時順等のユーザ指定順序に基づく直前直後の前記コンテンツ情報であることから成る請求項１に記載の再生装置。
【請求項３】
前記再生装置は、再生すべき前記コンテンツ情報をスキップさせるスキップ指示を与えるコンテンツ情報スキップ手段を備えており、
前記制御手段は、前記コンテンツ情報スキップ手段による前記スキップ指示に基づいて、前記メモリ手段に記憶されている前記コンテンツ情報の中から次に再生すべき前記コンテンツ情報の再生を開始することから成る請求項１又は２に記載の再生装置。
【請求項４】
前記制御手段は、再生が開始された前記コンテンツ情報の前記先頭部分情報のその後の部分の情報を前記読み出し手段によって前記記録媒体から読み出して前記メモリ手段に記憶し、前記先頭部分情報の再生に続いて前記その後の部分の情報を前記メモリ手段から読み出して再生することから成る請求項１〜３の何れか１項に記載の再生装置。
【請求項５】
前記制御手段は、前記メモリ手段に記憶されている前記先頭部分情報と前記付随情報との再生によって前記コンテンツ情報の再生が開始されることに対応して、前記メモリ手段に記憶すべき前記コンテンツ情報の前記先頭部分情報と前記付随情報とを更新することから成る請求項１〜４の何れか１項に記載の再生装置。
【請求項６】
前記再生装置は、前記付随情報の内容を表示する表示部を備えていることから成る請求項１〜５に記載の再生装置。
【発明の詳細な説明】
【技術分野】
【０００１】
本発明は、複数のコンテンツ情報が記録された記録媒体の再生装置に関する。
【背景技術】
【０００２】
近年、音楽に基づく音楽データ、即ち、曲の情報を圧縮してディスクに記録し、その曲の情報を読み出して音楽を再生するディスク装置として、ディスクから読み出した曲の情報をいったんメモリに格納してから音楽を再生することができるミニ・ディスク装置（以下、単にＭＤと記す）などが実用化されている。複数のコンテンツ情報が記録された記録媒体の再生については、一つのコンテンツ情報の先頭部分とそのコンテンツに付随する情報を一時的にメモリに保存し、特定の操作がなされた時に、前記情報をメモリから読出して再生することが行われている。
【０００３】
以下、従来のディスク装置について、その一例としてＭＤを例に挙げ、図面を参照しながら説明する。図５は従来のディスク装置の構成説明図であり、図５（ａ）は従来のディスク装置の構成を示すブロック図、図５（ｂ）は従来のディスク装置におけるメモリ構成の説明図である。図５（ａ）に示すように、従来のディスク装置は、音楽などの音響に基づく情報が、その情報を細分化してなる複数の細分化情報として記録された記録媒体としてのディスク１０と、ディスク１０を回転駆動するディスク駆動モータ１１と、ディスク１０に記録された情報を読み取る光ピックアップ１２と、光ピックアップ１２がディスク１０上の情報を読み出せるように、光ピックアップ１２を駆動する光ピックアップ駆動手段１３と、光ピックアップ１２に対する光ピックアップ駆動手段１３の駆動が安定的に行われるように、光ピックアップ駆動手段１３を制御するサーボ制御手段１６と、光ピックアップ１２の出力を増幅するＲＦアンプ１４と、ＲＦアンプ１４によって増幅され読み出された信号を復調する信号処理手段１５と、信号処理手段１５の復調により得られた情報に対応するデータを一時的に格納するバッファメモリ２と、バッファメモリ２のアドレスを管理するメモリ管理手段３と、バッファメモリ２から読み出されたデータに基づく情報に従って、音楽に対応するデータの復号を行う復号手段４０と、復号手段４０の出力結果である音楽に対応する復号データを、音響としてのアナログ音声に変換するＤＡ変換手段４１とで構成されている。
【０００４】
また、図５（ｂ）において、２はディスク１０に記録された情報を一時的に格納するバッファメモリであり、Ａはバッファメモリ２のアドレスの先頭部分であるアドレス先頭位置、Ｂはバッファメモリ２上の情報を読み出す読み出しアドレス位置、Ｃはディスク１０から読み出された情報を書き込む書込アドレス位置、Ｄはバッファメモリ２のアドレスの終了部分であるアドレス終了位置を示している。ここで、アドレス先頭位置Ａ、読み出しアドレス位置Ｂ、書込アドレス位置Ｃおよびアドレス終了位置Ｄは、それぞれ、初期設定時に、予めメモリ管理手段３内に設定される。
【０００５】
以上のように構成された従来のディスク装置について、その再生動作を以下に説明する。音楽などの音響に基づく情報が記録されたディスク１０は、ディスク駆動モータ１１によって駆動され必要な回転数で回転する。一方、光ピックアップ１２は、サーボ制御手段１６によって、光ピックアップ駆動手段１３を介して、フォーカス方向およびトラッキング方向に制御されディスク１０上をアクセスする。ディスク１０上に記録された情報は、光ピックアップ１２のアクセスによって再生され、ＲＦアンプ１４によって増幅された後、信号処理手段１５に入力される。
【０００６】
この情報は信号処理手段１５で復調され、その復調信号であるデータは、バッファメモリ２上において、図５（ｂ）に示すように、メモリ管理手段３内に設定されている書込アドレス位置Ｃによって示されたアドレスに書き込まれる。ここで、書込アドレス位置Ｃは、バッファメモリ２へのデータの書き込みが行われる毎にインクリメントされ、書込アドレス位置Ｃがアドレス終了位置Ｄに一致すると、メモリ管理手段３によってアドレス先頭位置Ａに更新される。このようにしてバッファメモリ２上に書き込まれたデータは、図５（ｂ）に示すように、メモリ管理手段３内に設定されている読み出しアドレス位置Ｂによって示されたアドレスから読み出される。ここで、読み出しアドレス位置Ｂは、バッファメモリ２からのデータの読み出しが行われる毎にインクリメントされ、読み出しアドレス位置Ｂがアドレス終了位置Ｄに一致すると、メモリ管理手段３によってアドレス先頭位置Ａに更新される。このようにしてバッファメモリ２上から読み出されたデータは、復号手段４０に入力され、復号手段４０によって復号された後、ＤＡ変換手段４１に入力される。このデータはＤＡ変換手段４１においてアナログ情報に復元され音楽などの音響として再生される。
【０００７】
上記のような再生動作を行う従来のディスク装置では、通常、ディスク１０より現在再生中の細分化情報である曲の情報をリピート再生するリピート再生機能、スキップアップダウン機能、などを有している。これらの機能のうちのリピート再生機能は、リピート再生の対象となる対象曲（この場合は、再生中の曲である）の情報のうちの最終部分の情報をメモリ２から読み出すと、いったんバッファメモリ２の内容をクリアし、ディスク１０上でリピート対象曲の先頭をアクセスし、再びバッファメモリ２へリピート対象曲の先頭からデータを書き込み、再生を再び開始するという方法により実現されている。また、スキップアップダウン機能は、スキップアップ／ダウン指示によって再生曲番号が選択されると、いったんバッファメモリ２の内容をクリアし、ディスク１０上で選択された再生曲番号である対象曲の先頭をアクセスし、再びバッファメモリ２へ選択対象曲の先頭からデータを書き込み、再生を再び開始するという方法により実現されている。
なお、曲が物理的に曲順通りに並んでいない場合であっても、違和感の少ないラストポジションプレイを行うことを可能にするディスク再生装置が提案されている（特許文献１参照）。
【特許文献１】特開平７−１２１９３０号公報
【発明の開示】
【発明が解決しようとする課題】
【０００８】
しかしながら、上記のような従来のディスク装置による再生方法では、リピート再生時に、再生中の曲の終了からリピート対象曲の先頭部分の再生が行われるまで、その対象曲をディスク上でアクセスするのに必要な時間分だけ音楽再生が中断されてしまうという問題点を有していた。また、スキップアップダウン機能の実施時、スキップアップダウン機能開始からスキップアップダウンによって選択された対象曲の再生が行われるまで、その対象曲をディスク上でアクセスするのに必要な時間分だけ音楽再生が中断されてしまうという問題点を有していた。
【０００９】
そこで、再生の毎に直接記録媒体にアクセスしているのでは、再生に大幅な遅れが出る状態になることがあることを考慮して、再生する又は再生中のコンテンツ情報の次に再生する予定のコンテンツ情報の一部を予め読み出しておいて、速やかに再生可能な状態とする点で解決すべき課題がある。
【００１０】
本発明の目的は、上記従来の問題点に鑑み、コンテンツ情報の再生時に、上述の機能の作動中等において、次に再生を行うため選択された対象コンテンツ情報（特定の細分化情報）へのディスク上でのアクセス時間に起因して生じる再生中断期間を短くして、次のコンテンツ情報（次の細分化情報）の再生開始までの時間を大幅に短縮することができる再生装置を提供することである。
【００１１】
また、本発明の別の目的は、再生時に、上述の機能の作動中などにおいて、次に再生を行うため選択された対象コンテンツ情報の再生中断時間を短縮するとともに、その曲名やアーティスト名などを表示させる再生装置を提供することである。
【００１２】
更に、本発明の他の目的は、音楽だけでなく、映像情報及び音声情報のコンテンツ情報並びにそのコンテンツ情報に付随する付随情報が記録された記録媒体（例：ＤＶＤやＨＤＤ）の再生時に、上述の機能の作動中などにおいて、次に再生を行うため選択されたコンテンツ情報の再生時間を短縮するとともに、その対象となるコンテンツの付随情報を表示させる再生装置を提供することである。
【課題を解決するための手段】
【００１３】
上述の課題を解決するため、この発明による再生装置は、複数のコンテンツ情報を記録している記録媒体から任意の前記コンテンツ情報を読み出すコンテンツ情報読み出し手段、読み出された前記コンテンツ情報を記憶するメモリ手段、及び前記コンテンツ情報読み出し手段と前記メモリ手段との動作を制御して前記コンテンツ情報の再生を制御する制御手段を備えており、前記制御手段は、複数の前記コンテンツ情報について前記読み出し手段を制御して前記記録媒体から読み出したそれぞれの先頭部分情報及び付随情報を前記メモリ手段に記憶し、次に再生すべき前記コンテンツ情報の再生を前記メモリ手段に記憶されている当該コンテンツ情報の前記先頭部分情報と前記付随情報との再生から開始することから成っている。
【００１４】
この再生装置によれば、複数のコンテンツ情報について、読み出し手段を制御して記憶媒体からそれらコンテンツ情報の先頭部分情報及び付随する付随情報を読み出し、読み出された先頭部分情報と付随情報とをメモリ手段に記憶しておき、再生中のコンテンツ情報の次に再生すべきコンテンツ情報の再生については、記録媒体上をアクセスしてサーチの後に読み出しするのではなく、メモリ手段に記憶されている当該先頭部分情報と付随情報との再生から開始する。したがって、先に再生されたコンテンツ情報と、次に再生すべきコンテンツ情報との間で生じる得る再生の中断を大幅に短縮、或いは実質的に無くすることができる。
【００１５】
この再生装置において、前記複数のコンテンツ情報は、前記再生中のコンテンツ情報に対して、記録日時順、定時放送番組放送日時順等のユーザ指定順序に基づく直前直後の前記コンテンツ情報であるとすることができる。記録媒体に記録されている複数のコンテンツの再生順序を記憶された順番どおりにする場合には、連続するコンテンツ情報をその順番で読み出してメモリ手段で記憶させておくことが好ましい。その外にも、定時放送番組を記録する場合には、その放送日時順とすれば、定時放送番組を放送順に再生することができる。その外、特定テーマについて、ユーザが再生順を指定することもできる。
【００１６】
この再生装置において、再生すべき前記コンテンツ情報をスキップさせるスキップ指示を与えるコンテンツ情報スキップ手段を備えておき、前記制御手段は、前記コンテンツ情報スキップ手段による前記スキップ指示に基づいて、前記メモリ手段に記憶されている前記コンテンツ情報の中から次に再生すべき前記関連コンテンツ情報の再生を開始することができる。再生装置がコンテンツ情報スキップ手段を備える場合には、再生中にコンテンツ情報スキップ手段を操作して与えられるスキップ指示があったときには、スキップすべきコンテンツ情報の再生は、読み出し手段が記録媒体から読み出してメモリ手段に記憶させたコンテンツ情報の先頭部分情報と付随情報の再生から開始される。スキップ指示は、連続した順番である必要はなく、飛び飛びの順番或いは不規則な順番であるなど、任意である。
【００１７】
上記の再生装置において、前記制御手段は、再生が開始された前記コンテンツ情報の前記先頭部分情報のその後の部分の情報を前記読み出し手段によって前記記録媒体から読み出して前記メモリ手段に記憶し、前記先頭部分情報の再生に続いて前記その後の部分の情報を前記メモリ手段から読み出して再生することができる。メモリ手段に記憶される情報は、付随情報の外、先頭部分情報のみであり、先頭部分情報に続く情報は記録媒体に記録されている。先頭部分情報の再生の長さは、読み出し手段が記録媒体にアクセスする時間的余裕を与える程度に定められるので、先頭部分情報で開始されたコンテンツ情報のその後の部分の情報については、記録媒体に記録されているコンテンツ情報から読み出してメモリ手段に記憶し、記憶されたその後の部分の情報をメモリ手段から読み出して、先頭部分情報の再生に続いてシームレスに繋いで再生することができる。なお、その後の部分の情報の記憶には、先頭部分情報の記憶と比較して大容量の記憶容量が必要になることがあるので、同じメモリ手段の範囲内であるが先頭部分情報等の記憶用とは別の専用のものを用意するか、或いは同じメモリ手段でも内部の容量区分を配慮することが好ましい。
【００１８】
上記の再生装置において、前記制御手段は、前記メモリ手段に記憶されている前記先頭部分情報と前記付随情報との再生によって前記コンテンツ情報の再生が開始されることに対応して、前記メモリ手段に記憶すべき前記コンテンツ情報の前記先頭部分情報と前記付随情報とを更新することが好ましい。次のコンテンツ情報の再生が開始されるときには、メモリ手段に記憶されているコンテンツ情報の順序を含めた先頭部分情報と付随情報の情報は古い状態になっている。したがって、メモリ手段に記憶されている情報を更新して、更に次のコンテンツ情報の再生に備えることが好ましい。
【００１９】
上記の再生装置は、前記付随情報の内容を表示する表示部を備えていることができる。即ち、コンテンツ情報が音楽に関する情報であるとき、その曲目やアーティスト名などの付随情報は、少ないメモリで記憶させることができ、高速再生する際にも、表示部に的確に表示させることができる。
【発明の効果】
【００２０】
上述したように、本発明では、映像情報と音楽情報とが記録されているような複数のコンテンツ情報が記録されている記録媒体の再生装置において、ユーザが視聴中のコンテンツ情報をスキップ操作する場合など、従来、コンテンツ情報間の再生の切り替わり時に生じていた再生の中断を大幅に短縮する或いは実質的に無くすことができるので、所望のコンテンツ情報をストレスなく高速に再生することが可能となる。
また、上述したように、映像情報、音声情報や付随情報を含みデータ量が多いにも係わらず、先頭部分情報と付随情報との情報量は、読み取り手段が記録媒体上の所定のコンテンツ情報にアクセスするのに要する時間で再生される情報量でよいので、先頭部分情報と付随情報との記憶に用意すべきバッファメモリ等については少ない記憶容量で処理することができる。
また、再生装置が、音声（音楽）情報と付随情報で構成されたデータを扱う機器とする場合において、再生している音声（音楽）がユーザによりスキップ操作されても、所望の音声（音楽）の再生と付随情報（曲目やアーティスト名など）と出力（表示）が、少ないメモリで高速再生することができるといった従来にない効果が期待できる。
【発明を実施するための最良の形態】
【００２１】
図１は、本発明による再生装置の一実施形態を示すブロック構成図である。図２は、記録媒体であるＤＶＤやＨＤＤ等の記録方式の概要を説明する図である。図３は、本発明による再生装置に用いられるメモリのメモリマップを示す。図４は、本発明による再生装置の動作説明をするフローチャートである。
【００２２】
図１に示す再生装置は、主にＤＶＤやＨＤＤ等を記録媒体とし、コンテンツ情報としての映像情報及び音声情報を再生する、或いは上述の情報に付随する付随情報を再生する再生装置である。また、再生装置としては、実施形態として図示していないが、映像情報を含まない音声情報及びそれに付随する付随情報を再生する再生装置、例えば曲情報を表示部に表示する手段を備えた携帯型音楽プレーヤ等も含まれる。
【００２３】
図１に示す再生装置において、１０はＤＶＤやＨＤＤなどの記録媒体、１１はサーボ（スピンドル）モータ、１２は光ピックアップ、１３は光ピックアップ駆動手段、１８はサーボ制御手段、１４はＲＦアンプ、１５は信号処理手段、１６は第１のバッファメモリ、２１は第２バッファメモリ、１７はＤＭＵＸ、４０は音声復号（デコード）手段、４１は音声ＤＡ変換手段、４２は映像復号（デコード）手段、４３は映像ＤＡ変換手段、２２は文字情報変換手段、２３は文字情報信号出力、２４は合成手段、１９は操作部、２０はＣＰＵである。光ピックアップ１２、光ピックアップ駆動手段１３及びサーボ制御手段１８は、読み取り手段を構成している。
【００２４】
以上のように構成される再生装置の再生動作について説明する。記録媒体１０に記録されるコンテンツ情報としては、例えば、音楽ライブ、ＰＶ（プロモーションビデオ）、複数の短編ストリーからなる映画、複数の番組録画された情報等の複数のコンテンツ情報がある。再生動作の対象は、これらのコンテンツ情報が記録される記録媒体１０である。記録媒体１０に記録される映像の記録仕様は、圧縮エンコード（単に「エンコード」とも表現する）として、ＭＰＥＧ１、ＭＰＥＧ２、ＭＰＥＧ４（総称して、「ＭＰＥＧ」と呼ぶ）があり、それらの音声の圧縮エンコード（単に「エンコード」とも表現する）は、ＭＰＥＧ仕様に基づくＬＡＹＥＲ  Ｉ、ＬＡＹＥＲ  ＩＩ、又はＬＡＹＥＲ  ＩＩＩのモードでエンコードされる。
【００２５】
映像情報及び音声情報に付随する情報は、ストリームのパケットの中で記述されている。上述のエンコードされた映像情報、音声情報及び付随情報は、ストリーム（ビット列）として多重化されるとともに同期化（時分割多重化方式）されて記録媒体１０に記録される。ストリームの記録には、一つのプロブラムをパケット構成したＰＳ（Ｐｒｏｇｒａｍ  Ｓｔｒｅａｍ）と呼ばれるシステムと、複数のプログラムをパケット構成したＴＳ（Ｔｒａｎｓｐｏｒｔ  Ｓｔｒｅａｍ）と呼ばれるシステムの二種類の方式がある。ＭＰＥＧ１はＰＳシステムが採用され。ＭＰＥＧ２はＰＳ、ＴＳのマルチ対応となっている。本発明による再生装置では、記録媒体１０に記録されるストリームがパケット構造をしているものであれば全て包括されるので、上述のＰＳ、ＴＳのプログラムに限定されるものではない。
【００２６】
以下、再生装置の動作について詳細に説明する。記録媒体１０は、スピンドルモータ１１によって所定の回転数で回転駆動される。光ピックアップ１２は、光ピックアップ駆動手段１３、ＲＦアンプ１４とともに形成する閉ループを介して、サーボ制御手段１８によって、フォーカス方向及びトラッキング方向に制御され、記録媒体１０からパケット構成されたストリーム（以下、単に「ストリーム」と称する）がアクセスユニットごとに読み出され、ＲＦアンプ１４で増幅される。ストリームは、信号処理手段１５によって、記録時に誤り訂正等のために行われた変調を復調する。
【００２７】
復調されたストリーム信号は、第１のバッファメモリ１６に記憶される。第１のバッファメモリ１６では、ストリーム信号は、アクセスユニットと呼ばれる単位を基に記憶される。第１のバッファメモリ１６より入力されるストリームは、ＤＭＵＸ１７により、音声情報、映像信号及び付随情報に分離される。音声情報は音声情報復号手段４０により、映像情報は映像情報復号手段４２により、また付随情報であるメタ情報は文字情報変換手段２２により、それぞれ、デコード或いは変換される。音声情報と映像情報は、ストリームに含まれて提供されるタイムスタンプと呼ばれる情報に基づき、同期して再生される。デコードされた音声情報は、音声ＤＡ変換手段４１によりアナログ音声の音声信号として出力される。また、デコードされた映像情報は、映像ＤＡ変換手段４３によってアナログ映像の映像信号として合成手段２４に出力され、文字情報信号出力２３と合成されて映像出力となる。合成手段は、映像情報を復号手段で復号した後、文字情報とデジタル合成をしてもよい。上述した一連の再生処理の制御は、ＣＰＵ２０によって行われる。
【００２８】
次に、上述のストリーム（ビット列）が記録媒体１０にどのように記録されているかを図２を参照して簡単に説明する。図２は、（ａ）が記録媒体の外観図、（ｂ）がデータ領域にＰＳ方式で記録されるパケット構成の模式図、（ｃ）はデータ領域にＴＳ方式で記録されるパケット構成の模式図である。
【００２９】
図２（ａ）に示すように、記録媒体１０上の領域は、映像情報、音声情報、付随情報などの情報であるストリームが記録されるデータ領域５０と、記録媒体の種類、記録方式など管理情報を記録するファイル領域５１とに大別される。図２（ｂ）に示すようにデータ領域５０にＰＳ方式で記録されるパケット構成の最初のパケットは、パックヘッダ５３、システムヘッダ５４、パケット５５（以降パケット５５ｎが並ぶ）を一つのパックとして、次のパックがパックヘッダ５６を先頭にして、パケット５７（以降パケット５７ｎが並ぶ）のパックが続く、以降もパックヘッダ５６とパケット５７（ｎ）をペアにしたパックが連続して記録されている。本発明で定義している付随情報は、コンテンツ情報ごとに、付随情報が記述されたパケット（プログラム・ストリーム・マップ）が記録される。このプログラム・ストリート・マップが記述されたパケットがあるデータ領域５０のアドレスは、ファイル領域５１に記録される。
【００３０】
図２（ｃ）に示すように、データ領域５０にＴＳ方式で記録されるパケット構成は、１８８バイトからなるトランスポート・パケット６０、６２、６３、６４（以降同様に続く）のパケットが連続して記録される構成である。それぞれのパケットには、ＰＩＤ（Ｐａｃｋｅｔ  Ｉｄｅｎｔｉｆｉｃａｔｉｏｎ）と呼ばれるストリームの属性が付加されている。ＴＳ方式の記録では、ＰＩＤによって、コンテンツ情報の付随情報を知ることができる。また、このＴＳがデジタル放送の記録であれば、番組情報（ＥＰＧ）を知ることができる。従って、コンテンツ情報ごとに、付随情報が記述されたＰＩＤパケットがあるデータ領域５０のアドレスが、ファイル領域５１に記録される。
【００３１】
任意のコンテンツ情報を再生させるときに、サーボ制御手段１８はＣＰＵ２０の制御信号により、現在再生しているコンテンツ情報の先頭部分と、現在再生しているコンテンツ情報の前後に記録されているコンテンツ情報とをファイル領域５１より読み取るように動作し、信号処理手段１５は、各コンテンツ情報のある先頭部のアドレスにアクセスし、それぞれｍ個のアクセスユニットを読み出す。読み出したアクセスユニットのデータは、第２バッファメモリ２１に記憶される。
【００３２】
図３に、第２バッファメモリ２１のメモリマップを示す。図３は、現在再生しているコンテンツ情報の先頭部分情報（付随情報を含む。以下、特に区別して言及しない限り同じ）であるデータ（先頭部分からｍ個のアクセスユニット）は、第２バッファメモリ２１のアドレスＡＡＡＡからＢＢＢＢにメモリされている。現在再生中のコンテンツ情報の一つ前のコンテンツ情報の先頭部分情報であるデータ（先頭部分からｍ個のアクセスユニット）は、第２バッファメモリ２１のアドレスＣＣＣＣからＤＤＤＤにメモリされていることを示し、同様に一つ後のコンテンツ情報の先頭部分情報であるデータ（先頭部分からｍ個のアクセスユニット）は、第２バッファメモリ２１のアドレスＥＥＥＥからＦＦＦＦにメモリされている状態を示す。ここで、ｍ個のアクセスユニットと定義したのは、ＣＰＵ２０がサーボ制御手段１８及び光ピックアップ駆動手段１３で光ピックアップ１２より所望のコンテンツ情報を読み出して、音声ＤＡ変換手段４１及び映像ＤＡ変換手段４３を介して、音声出力及び映像出力として再生するまでに要する時間に少しのマージンを持たせた時間分に相当するアクセスユニット数である。この時間は短いことが望ましいが、通常、１０秒前後あればよい。
【００３３】
コンテンツ情報の再生中に、操作部１９より再生中のコンテンツをスキップさせる操作（スキップ指示）を行った場合、例えば、現在再生中のコンテンツ情報をスキップして一つ前のコンテンツを再生する操作がＣＰＵ２０に入力されたとすると、ＣＰＵは現在のコンテンツ情報の再生を中止し、第２バッファメモリ２１に記憶されているコンテンツ情報であるデータ（アドレスＣＣＣＣからＤＤＤＤ）を読み出す。読み出したデータは、ＤＭＵＸ１７に入力され、上述したように音声は、音声復号手段４０及び音声ＤＡ変換手段４１を介して音声出力され、映像情報は、映像復号手段４２及び映像ＤＡ変換手段４３を介して映像出力されて合成手段２４に入力され、付随情報は、文字情報変換手段２２及び文字情報信号出力２３を介して変換・出力されて、合成手段２４により映像信号に合成される。ここでは、映像情報及び音声情報並びにそれに付随する付随情報が記録された記録媒体を再生することを扱っており、具体的には、映像情報は画像であり、付随情報とは文字情報に該当する。音声情報を扱う場合には、付随情報を含み得るが、画像情報は含まれない。
【００３４】
一方、ＣＰＵ２０は、サーボ制御手段１８及び光ピックアップ駆動手段１３を制御し光ピックアップ１２より、一つ前のコンテンツ情報が記録されているコンテンツ情報の位置をファイル領域５１より読み出して、そのコンテンツ情報の先頭のアクセスユニットからｍ＋１個目のアクセスユニットにアクセスして読み出したデータをＲＦアンプ１４及び信号処理手段１５を介して第１のバッファメモリ１６に記憶する。ＣＰＵ２０は第２バッファメモリ２１のデータ（アドレスＣＣＣＣからＤＤＤＤのｍ個のアクセスユニット）を出力した後、第１のバッファメモリ１６のデータ（ｍ＋１個目以降のアクセスユニット、即ち、先頭部分情報より後の部分の情報）を出力する。アクセスユニットを構成するパケットのヘッダ内にあるタイムスタンプと呼ばれる復号（デコード）再生処理の時刻管理のタグにより、第２バッファメモリ２１から読み出され再生された映像信号及び音声信号と、第１のバッファメモリ１６より読み出され再生された映像信号及び音声信号とは、シームレスに時間継承がなされて再生される。
【００３５】
更に、ＣＰＵ２０は、上述の第２バッファメモリ２１のデータ（アドレスＣＣＣＣからＤＤＤＤ）を、現在再生しているコンテンツ情報の先頭部分からｍ個のアクセスユニットであると認識し、第２バッファメモリ２１のデータ（アドレスＡＡＡＡからＢＢＢＢ）を現在再生しているコンテンツ情報の一つ後のコンテンツ情報の先頭部分からｍ個のアクセスユニットと認識する。次にＣＰＵ２０は、現在新たに再生しているコンテンツ情報の一つ前のコンテンツ情報が記録されているコンテンツ情報の位置をファイル領域５１より読み出して、そのコンテンツ情報の先頭のアクセスユニットからｍ個を光ピックアップ１２で読み出し、ＲＦアンプ１４、信号処理手段を介して第２バッファメモリ２１に（アドレスＥＥＥＥからＦＦＦＦ）にメモリし、ＣＰＵ２０はこのデータ（アドレスＥＥＥＥからＦＦＦＦ）を現在再生しているコンテンツ情報の一つ前のコンテンツ情報の先頭部分からｍ個のアクセスユニット（先頭部分情報）と認識する。このとき以前にメモリされていたデータ（アドレスＥＥＥＥからＦＦＦＦ）は、捨てるか、消去するか、上書きで書き換えるか、の方法が採られる。
【００３６】
上述したメモリの更新方法は一例であり、その他の更新（既にメモリされているアドレスを順送りするなど、ユーザによる指定に基づく順送り）で行うことも可能である。また、予め記録媒体１０に記録されている全てのコンテンツ情報の先頭部分情報を第２バッファメモリ２１に記憶することが考えられるが、この手法では第２バッファメモリ２１には大きなメモリ容量が必要になる。本発明では、再生中のコンテンツ情報とその前後のコンテンツ情報について、先頭部分情報と付随情報という一部の情報のみを第２バッファメモリに記憶しているので、第２バッファメモリのメモリ容量を大きくすることなく、こうした問題を解決している。また、第１バッファメモリ１６と第２バッファメモリ２１は、本発明でいうメモリ手段であり、解かり易く説明するために二つに分けて説明しているが、一つのメモリで構成することも可能である。
【００３７】
次に上述した一連の動作について、図４のフローチャートを用いて詳細を説明する。ユーザ（使用者）は、再生装置に、記録媒体１０（図１又は図２を参照、以下同じ）を装着して再生操作を操作部より指示すると、再生装置は、まず光ピックアップ１２は記録媒体１０のファイル領域５１よりユーザより指示のあったコンテンツ情報を検索し、データ領域５０にあるコンテンツ情報の先頭部分の情報を取得し（Ｓ１０）、第２バッファメモリ２１に記憶する（Ｓ１１）。同様に再生する一つ前のコンテンツ情報の先頭部分の情報を取得し（Ｓ１０）、第２バッファメモリ２１に記憶する（Ｓ１１）。また、同様に再生する一つ後の情報を取得し（Ｓ１０）、第２バッファメモリ２１に記憶する（Ｓ１１）。
【００３８】
記憶手順が完了するとＣＰＵは記録媒体１０のユーザが指示したコンテンツ情報の再生を行う（Ｓ１２）。また、ＣＰＵ２０は、並行して、再生するコンテンツ情報の先頭部分以降のコンテンツ情報を記録媒体１０より光ピックアップ１２より読み出して、第１バッファメモリ１６に出力させる（Ｓ１９）。ＣＰＵ２０はＳ１２で第２バッファメモリ２１から読み出されて、再生している情報（データ）が終了すると、上述の記録媒体１０から読み出された第１バッファメモリ１６に記憶されている先頭部分以降の情報をタイムスタンプで時刻合せ（同期取り）を行い（Ｓ１８）、情報が途切れることなく連続して再生を行う（Ｓ１２）。再生状態において、ユーザが再生装置の操作部より、現在再生中のコンテンツ情報のスキップ指示（アップダウン）を行う（Ｓ１３）と、ＣＰＵ２０は、スキップの指示に基づき、現在再生しているコンテンツ情報の再生を中止して、指定のコンテンツ情報を第２バッファメモリ２１から読み出して先頭部分の再生を行う（Ｓ１７）。また、ＣＰＵ２０は、並行して、スキップ指定されたコンテンツ情報の前或いは後のコンテンツ情報を記録媒体１０のファイル領域５１より検索して、データ領域５０より、そのコンテンツ情報の先頭部分を取得する（Ｓ１４）。取得した情報（データ）は、第２バッファメモリ２１に記憶する。このとき、以前のデータが残っているので、上述した方法を用いて第２バッファメモリ２１の更新を行う（Ｓ１５）。第２バッファメモリ２１の更新が完了すると、ＣＰＵ２０はユーザがスキップ指定したコンテンツ情報の先頭部分以降のコンテンツ情報を記録媒体１０より光ピックアップ１２より読み出して、第１バッファメモリ１６に出力させる（Ｓ１６）。ＣＰＵ２０はＳ１７で第２バッファメモリ２１から読み出されて、再生している情報（データ）が終了すると、上述の記録媒体１０から読み出された第１バッファメモリ１６に記憶されている先頭部分以降の情報をタイムスタンプで時刻合せ（同期を取り）を行い（Ｓ１８）、情報が途切れることなく連続して再生を行う（Ｓ１２）。
【図面の簡単な説明】
【００３９】
【図１】本発明による再生装置のブロック構成図。
【図２】本発明による再生装置で用いる記録媒体の記録方式、本発明の説明に用いるストリーム構成（ＰＳ）、及び本発明の説明に用いるストリーム構成（ＴＳ）の説明図。
【図３】本発明による再生装置に用いられるメモリのメモリマップ。
【図４】本発明による再生装置の動作を説明するフローチャート。
【図５】従来の再生装置の一例を示すブロック構成図。
【符号の説明】
【００４０】
１０  記録媒体
１１  スピンドルモータ
１２  光ピックアップ
１３  光ピックアップ駆動手段
１４  ＲＦアンプ
１５  信号処理手段
１６  第１バッファメモリ
１７  ＤＭＵＸ
１８  サーボ制御手段
１９  操作部
２０  ＣＰＵ
２１  第２バッファメモリ
２２  文字情報変換手段
２３  文字情報出力
２４  合成手段
４０  音声復号手段
４２  映像復号手段
４１  音声ＤＡ変換手段
４３  映像ＤＡ変換手段
５０  データ領域
５１  ファイル領域
【図１】
2007087481.tif 000003
【図２】
2007087481.tif 000004
【図３】
2007087481.tif 000005
【図４】
2007087481.tif 000006
【図５】
2007087481.tif 000007